(57)【特許請求の範囲】
【請求項１】
一対の型内で装飾用の混合物を含有する樹脂を硬化させる樹脂成形体の製造方法において、当該樹脂成形体の表面に表出する、部分模様を形成する複数の模様体を、中央基体を略中心として連結したインサート体として一体的に形成し、上記インサート体を一方の型体上に載置するとともに、上記型体上で動くことを防止するとともに内部へ通じる空隙が予め形成された押さえ部材を当該インサート体に当接させ、
上記一方の型体に対向する他方の型体を当該一方の型体に対して近接させることにより上記インサート体に当接させた押さえ部材を押圧し、上記押圧した当該押さえ部材の上記空隙を通じて内部へ上記樹脂を浸入させ、その後上記樹脂を硬化させること
を特徴とする樹脂成形体の製造方法。
【請求項２】
上記樹脂中に含有されている混合物の大きさ以上のサイズからなる切欠が互いに隣接する上記模様体と上記中央基体との間に形成されていること
を特徴とする請求項１記載の樹脂成形体の製造方法。
【請求項３】
上記中央基体と、上記一方の型体との距離が、上記混合物の厚さ以上であること
を特徴とする請求項２記載の樹脂成形体の製造方法。
【請求項４】
上記型体の近接時において押圧した上記押さえ部材の上記空隙を通じて上記混合物を内部へ浸入させること
を特徴とする請求項１〜３のうち何れか１項記載の樹脂成形体の製造方法。
【請求項５】
請求項１〜４のうち何れか１項記載の樹脂成形体の製造方法により製造されたこと
を特徴とする樹脂成形体。
【請求項６】
装飾用の混合物を含有する樹脂と、
上記樹脂に埋設されてなるとともに部分模様を形成する複数の模様体を、中央基体を略中心として連結したインサート体と、
押さえ部材とを備え、
上記インサート体は、頂部に形成させた表出面を樹脂表面に露出させ、押さえ部材は、インサート体の底部に当接させてなり、更に当該押さえ部材内部に上記樹脂が浸入されていること
を特徴とする樹脂成形体。
【請求項７】
上記インサート体は、上記樹脂を流し込むための流れ込み案内として、互いに隣接する上記模様体と上記中央基体との間に、上記ベース樹脂中に含有されている混合物の大きさ以上からなる切欠が形成されていること
を特徴とする請求項６記載の樹脂成形体。
【請求項８】
上記中央基体と、上面又は下面との寸法が、上記混合物の大きさ以上であること
を特徴とする請求項６又は７記載の樹脂成形体。
【発明の詳細な説明】
【技術分野】
【０００１】
本発明は、キッチンや家具等のカウンター、壁面等に適用される模様を有する樹脂成形体の製造方法並びに樹脂成形体に関するものである。
【背景技術】
【０００２】
従来より、キッチンや家具等のカウンター素材として、俗に人工大理石と呼ばれる樹脂製カウンターが用いられている。
【０００３】
このような人工大理石の中では、無機充填剤を配合した液状のアクリル系樹脂、或いはポリエステル系樹脂やエポキシ樹脂等を型体内に注入もしくはチャージし、押圧硬化して得られる、いわゆる人工大理石が多用されている。
【０００４】
このような工程を経て製造される人工大理石は、製造段階の型体内で樹脂成形体に、例えば丸や四角の単純図形、動物や花等の各種デザインを、色や質感、形状を介して表現する、いわゆる特定模様を施すことは、技術的に困難とされていた。
【０００５】
従って、従来におけるキッチン用のカウンターには、ベージュ、白、黒、ピンクといった単色、あるいは単色の中にマーブル調の流れ模様や砂模様等が施される場合が多かった。カウンターに対してあえて特定模様の装飾を望む場合には、象眼のようにカウンター表面に凹みを穿ち、そこに特定形状の模様板を嵌め込んで接着すること等が行われていた。
【０００６】
ところで、上述したような特定模様の装飾技術が利用されていた昨今において、特に近年では、人工大理石の製造段階における、型内での樹脂成形過程において特定模様を施す技術が求められており、その具体的手段として、例えば特許文献１記載の開示技術が提案されている。
【先行技術文献】
【特許文献】
【０００７】
【特許文献１】特開２００２−３６１６６８号公報
【特許文献２】特開２００８−２９６３９８号公報
【特許文献３】特開平０６−２１０６４８号公報
【特許文献４】特開平０９−１１２５７号公報
【特許文献５】特開２００２−３２１２３２号公報
【特許文献６】特願２００９−０３０３４９号公報
【特許文献７】特願２００９−０３０３５０号公報
【発明の概要】
【発明が解決しようとする課題】
【０００８】
ところで、上述した特許文献１の開示技術では、支持部材に隙間や孔部、内部空間が存在しない構成としていることから、当該支持部材が基材としてのベース樹脂中において互いに物性の異なる混合物として存在することになり、さらにこの支持部材の存在が基材としてのベース樹脂を互いに分断することになる。その結果、このような支持部材を基材中に分散させた製品については、耐衝撃性が低下してしまうという問題点があった。また、基材としてのベース樹脂を内部に充填する際において、当該ベース樹脂を流動させることになるが、かかるベース樹脂流動時には、支持部材はベース樹脂の流動を阻害するために、支持部材周辺にベース樹脂未充填が発生しやすいという問題点があった。
【０００９】
このように支持部材内部に隙間や孔部、内部空間が存在しないことにより上述の如き問題点が発生していた。
【００１０】
また、支持部材は、ベース樹脂成形時に金型温度や樹脂の硬化発熱による高温にさらされるが、樹脂製の支持部材の場合、加熱による軟化で反発力が低下してしまう。その結果、インサート体への押圧力が低下して、当該インサート体と型接触面とを隙間無く接触させることができず、その結果、このインサート体と型接触面との間にベース樹脂が入り込み、インサート体が表出しなくなる。また、反発力低下で、ベース樹脂の流動圧によりインサート体が動く不具合も生じる。このため、支持部材の耐熱性といった物性パラメータをある程度特定することにより、加熱により支持部材が軟化してしまうのを防止する必要性があった。
【００１１】
また、支持部材の材質が型体の表面の材質よりも硬い場合、型体により支持部材を押圧したときに型体に疵が付いてしまうという問題点もあった。このため、支持部材における型接触部の構成について改善を図る必要性もあった。
【００１２】
また特許文献２の開示技術では、加飾素材のピースを所望の位置に容易にセットすることができ、柄や模様を所望の形態に容易に形成させることを目的として、板状体を切断して形成させた加飾素材のピースをシート状の保持体に貼付け、次いで、成形型２０のキャビティ内にピースが貼付された保持体をセットし、その後、成形型を閉型した後、樹脂材料を注入して硬化させる技術が開示されている。
【００１３】
しかしながら、当該特許文献２の開示技術によれば、表出部品を構成するピースと保持体の貼り合わせ作業が必然的に発生するため、複数のピースを位置決めしながら保持体に貼り合わせなければならず、ピースそのものが微細な場合には位置ずれを起こしやすいという問題点があった。また、シート状の保持体では、シート等の軟らかい素材を用いるために、押さえ部材が各ピースについて別途に必要になり、押さえ部材の費用が増加してしまい、押さえ部材をセットするための時間が長く必要になるという問題点もあった。即ち、インサート体（上述した特許文献２でいうところのピース）は、互いに連結部品と一体化して張り合わすために、かかる押さえ部材の費用減、セット時間の短縮化を図る必要性があった。
【００１４】
更には、インサート体の物性が特定されていない場合には、インサート体とベース樹脂の線膨張係数が大きく異なる場合、製品となった時に温度変化等で割れが生じるという問題点があった。
【００１５】
なお、その他の従来技術として、特許文献３〜５の技術が開示されているが、何れの特許文献にも前記課題を解決する具体的手段は開示されていない。
【００１６】
これらの課題に対し、出願人は、特許文献６、７において、上述した問題点に対する解決手段を示している。これら特許文献６、７に示した方法では、バネの間隙部分やインサート体と型間、またインサート体内部を硬化前のベース樹脂が流入できることが前提となる。しかしながら、例えば、表面に大理石状の模様を形成させる場合には、ベース樹脂にフィルム体等の混合物を混合させる必要があり、当該ベース樹脂が硬化前であっても粘性が比較的高くなる場合もある。このような高い粘性を持つベース樹脂を使用する場合、当該ベース樹脂がバネの間隙部分やインサート体と型間などに流入しにくくなる場合がある。また、また、ベース樹脂に対して色や光沢感を出すため、色素やフィルム体等の混合物を混合する場合は、その混合物のサイズが大きい場合に、そのバネの間隙やインサート体と型間などを通り抜けられず、バネの間隙を閉塞させてしまうこととなる。
【００１７】
このような場合には、インサート体で形成されている模様内にベース樹脂の未充填部分が発生することとなる。特にバネやインサート体と型間、またインサート体内部がベース樹脂によって埋設されずに内部に未充填部分（空隙）が形成されてしまうと、ベース樹脂が硬化した後において成形体内部に未充填部分（空隙）が存在してしまうことになり、当該成形体の強度面において支障を来たし、ひいては耐衝撃性も低下してしまう原因にもなる。
【００１８】
また、バネの間隙やインサート体と型間、またインサート体内部を通過しなかったベース樹脂や、バネの間隙やインサート体と型間、またインサート体内部を閉塞させた混合物によって、インサート体および、その押さえ部材にベース樹脂の充填圧力がかかる場合もあり、インサート体の位置が所定の位置からずれてしまう不都合も生じていた。
【００１９】
そこで、本発明は、上述した課題に鑑みて案出されたものであり、その目的とするところは、上記従来技術で解決し得なかった課題を解決し、表面に特定模様などを表出させる樹脂成形体の製造方法において、ベース樹脂の粘性や混合物の大きさに影響を受けることなく、特定模様を所定の位置に表出させ、耐衝撃性の低下を防止し、ベース樹脂の未充填が発生するのを防止することにより、ベース樹脂の硬化過程で空隙や撓みが発生することなく安定した品質の成形体を製造することができ、特定模様の再現精度をより向上させることが可能な樹脂成形体の製造方法、樹脂成形体を提供することにある。
【課題を解決するための手段】
【００２０】
本発明に係る樹脂成形体の製造方法は、上述した課題を解決するために、一対の型内で装飾用の混合物を含有する樹脂を硬化させる樹脂成形体の製造方法において、当該樹脂成形体の表面に表出する、部分模様を形成する複数の模様体を、中央基体を略中心として連結したインサート体として一体的に形成し、上記インサート体を一方の型体上に載置するとともに、上記型体上で動くことを防止するとともに内部へ通じる空隙が予め形成された押さえ部材を当該インサート体に当接させ、上記一方の型体に対向する他方の型体を当該一方の型体に対して近接させることにより上記インサート体に当接させた押さえ部材を押圧し、上記押圧した当該押さえ部材の上記空隙を通じて内部へ上記樹脂を浸入させ、その後上記樹脂を硬化させることを特徴とする。
【００２１】
本発明に係る樹脂成形体は、上述した課題を解決するために、装飾用の混合物を含有する樹脂と、上記樹脂に埋設されてなるとともに部分模様を形成する複数の模様体を、中央基体を略中心として連結したインサート体と、押さえ部材とを備え、上記インサート体は、頂部に形成させた表出面を樹脂表面に露出させ、押さえ部材は、インサート体の底部に当接させてなり、更に当該押さえ部材内部に上記樹脂が浸入されていることを特徴とする。
【発明の効果】
【００２２】
上述した構成からなる本発明によれば、花びらのような細かい模様をカウンターの表面に形成させたり、例えば０．５ｍｍ〜２０ｍｍ程度のサイズからなる微細な模様をカウンターの表面に形成させる場合においても、この切欠を中央基体側に向けて深く切り込まれていることから、隅々まで基材を充填することが可能となり、ひいては、インサート体内において基材の未充填部が残存するのを防止することが可能となる。その結果、基材を充填した後においてエアーが残り、仕上がり時においてインサート体の周囲がへこんでしまうことを防止することが可能となり、更には成形不良を起こしたり、品質低下を引き起こすことを極力防止することが可能となる。
【００２３】
特に本発明では、基材内に装飾用の混合物を含んでいることを前提としているが、上述したように切欠自体の断面積をより広く構成したり、インサート体と型との距離を広げることが可能となることから、混合物が引っ掛かることなく、隅々まで充填を行うことが可能となる。
【図面の簡単な説明】
【００２４】
【図１】本発明を適用した樹脂成形体の製造方法を経て作製されたカウンターのワークトップの構成例を示す図である。
【図２】カウンターとして用いられる樹脂成形体の断面構成図を示す図である。
【図３】インサート体の詳細な構成について説明するための図である。
【図４】押さえ部材を合成樹脂材からなるコイルバネで構成した場合の例を示す図である。
【図５】模様付パネル体の製造方法を示すフローを示す図である。
【図６】押さえ部材に対して更に裏打ち材を設ける例を示す図である。
【図７】インサート体を表面、裏面の双方に設けることにより、樹脂成形体の表裏に模様を形成させる場合について説明するための図である。
【発明を実施するための形態】
【００２５】
以下、本発明を実施するための形態として、キッチン用カウンターに適用される樹脂成形体の製造方法について、図面を参照して詳細に説明する。
【００２６】
図１は、本発明を適用した樹脂成形体の製造方法を経て製造された人工大理石からなるカウンター２のワークトップの構成例である。
【００２７】
樹脂成形体としてのカウンター２は、システムキッチンに適用される場合には、キャビネット上に載置し、固定されるものである。カウンター２は、前縁２６ａや水返し、バックガードを備えている。
【００２８】
このカウンター２のサイズは、通常奥行きが６０〜９８ｃｍ程度、幅が１８０ｃｍ〜３００ｃｍ程度となり、顧客の要望等によりサイズが決定される。
【００２９】
また、カウンター２には、例えば花びら等の特定模様を構成するインサート体１１を表面に露出されている。本発明では、カウンター２及びインサート体１１は、アクリル系の人工大理石を素材としている。この人工大理石は、アクリル系樹脂に水酸化アルミニウムや二酸化珪素等の無機充填剤を配合することにより得られる、いわゆるアクリル系人工大理石である。しかしながら、このインサート体１１は、かかる材料により構成される場合に限定されるものではなく、ポリエステルやエポキシ系やＦＲＰ（Fiber Reinforced Plastics）等の樹脂材料で構成されていてもよく材質を限定しない。
【００３０】
図２は、このカウンター２の断面構成図を示している。このカウンター２は、基材１２を構成するベース樹脂を硬化させる過程で、模様となるインサート体を固定するように一体化させたものである。
【００３１】
カウンター２の基材１２を形成するベース樹脂は、型体にベース樹脂であるアクリル系樹脂を注入し硬化して得られるものである。また、このベース樹脂は、装飾用の混合物８を含有するものである。この混合物８は、例えば大理石状の模様を表面に醸し出すために一般的に使用されるポリプロピレン等の熱可塑性のポリマー粒子、ポリマーフィルム、各種繊維、天然石、金属、その他無機物の粉末等である。
【００３２】
インサート体１１は、その下面がカウンター２の表面２１ａに直接露出するように基材１２に埋め込まれている。
【００３３】
図３(a)は、インサート体１１の斜視図であり、図３(b)は、インサート体１１の平面図である。このインサート体１１は、複数の模様体９２と、中央部分に形成される中央基体９３とを有している。この模様体９２は、単独で一つの部分模様を構成するものであり、図３の例では、花びらが部分模様に相当する。また、この複数の模様体９２は、中央基体９３を略中心として略放射状に配置することにより、全体模様を表出させる。図３の例では、花びらを放射状に配置した花が全体模様に相当する。
【００３４】
模様体９２は、カウンター２の表面２１ａに表出させる模様を構成する模様面８２ａを頂部に形成させてなる。この模様面９２ａを介してカウンター２の表面２１ａに微細な部分模様（全体模様）を表出させることが可能となる。この図３の例では、５〜２０ｍｍ程度の大きさからなる花びらの模様に応じた模様面９２ａが形成されるように模様体９２を構成している。また、この模様面９２ａはカウンター２の表面２１ａにおいて直接露出するものであることから、互いに平行に、しかも高い平滑度をもって構成されている。なお、この模様体９２により構成される模様はいかなるものであってもよいことは勿論である。また、模様体９２は、意匠目的の材料に限らず、機能を付加する材料や形状を付加する材料でもよく、材質や使用目的に限定されるものではない。
【００３５】
中央基体９３は、中央において開口が設けられていないものとして構成されている。互いに隣接する模様体９２は、互いに独立に存在するものであって、中央基体９３のみに連結されている。換言すれば、模様体９２同士は、互いに中央基体９３のみを介して間接的に連結されているのであり、模様体９２同士は直接的に連結されているものではない。その結果、図３（ｂ）に示すように、互いに隣接する模様体９２間は、互いに離間しており、模様体９２と中央基体９３との間には、切欠９５が形成されることになる。
【００３６】
この切欠９５は、中央基体９３に向けて凸となるような形状とされていてもよく、その中央基体９３へ向けた深さは、ベース樹脂中に含有されている混合物８に応じて予め決定されていることが望ましい。
【００３７】
また、インサート体１１は、図２に示すように、中央基体９３の裏面９３ｂ側において、例えばコイルバネで構成される押さえ部材１４が接合されている。この押さえ部材１４は、中央基体９３に対して接着剤等により着脱不能に接合されていてもよいし、中央基体９３に形成された図示しない嵌合溝等に対して機械的に着脱自在に嵌合されていてもよい。
【００３８】
ここでいうコイルバネとは、JIS B0103でいうところの円すいコイルばね、或いは圧縮コイルばね、円形コイルばね（その分類中でも円すいコイルばね）、異形コイルばね等を含むものであり、鉄線をコイル状や螺旋状などに巻き上げて弾性変形可能に構成したあらゆる対象を含むものである。また、このコイルバネは、一般的にいうところのつる巻きバネにも相当するものである。また、コイルバネとしては、内部に通じる空隙が形成された弾性体であればよく、押圧した際においても内部に通じる空隙が形成されていることが必要である。この空隙を通じて基材としてのベース樹脂をコイルバネ内部へと充填させることが可能となる。
【００３９】
ちなみに、この押さえ部材１４は、合成樹脂材（例えばポリカーボネート）で構成されている。図４(a)は、押さえ部材１４を合成樹脂材からなるコイルバネで構成した場合の平面図であり、図４(b)は、その側面図を示している。押さえ部材１４は、最上部において押圧部材が当接される当接部２１４が形成されてなるとともに、底面２１３が設けられ、この当接部２１４から底面２１３にかけて下方に向けて縮径されるように渦巻状に巻きまわされた形状に成形され、また空隙２１１も形成されている。そして、この空隙２１１を介して内部（図４(a)でいうところの、底面よりも上側にある開空間）へ樹脂を流し込むことが可能となり、また当該内部から空隙２１１を介して外部に樹脂を流し込むことが可能となるように構成されている。
【００４０】
押さえ部材１４の持つバネ定数は、成形時の圧縮の障害になる強さ未満で、基材を流し込む際の意匠版の固定するに充分な強さ以上であればよい。押さえ部材１４は、少なくともその上端がインサート体１１を構成する中央基体９３の裏面９３ｂに接触し、少なくともその下端がカウンター２の裏面２１ｂから直接露出する場合もある。
【００４１】
なお、このインサート体１１は、図２に示すように複数個に亘って規則的に、又はランダムに配置されている。このインサート体１１の配置間隔、或いは隣接する模様体９２間の間隔は、１ｍｍもしくは２ｍｍ以上となるように調整されていることが望ましいが、その理由については後述する。
【００４２】
本実施例では、インサート体１１を基材１２を構成するベース樹脂とほぼ同一性質の樹脂を使用している場合を想定しているが、これに限定されるものではない。
【００４３】
なお、この基材１２の板厚ｔ１２は、８〜９ｍｍ程度であり、インサート体１１の板厚ｔ１３は、４〜５ｍｍ程度である。
【００４４】
なお、この基材１２の板厚ｔ１２とインサート体１１の板厚ｔ１３との差分ｔ１２−ｔ１３、換言すれば、インサート体１１を構成する中央基体９３の裏面９３ｂからカウンター２の裏面２１ｂまでの厚さは、ベース材の粘性や添加剤の大きさが大きくなるほど、それに応じて厚くし押さえ材の圧縮を下げ、押さえ材の間隙が広くなるようにする必要がある。その結果、ｔ１２−ｔ１３が、押さえ部材１４の高さとなるが、これは３〜５ｍｍ程度となる。
【００４５】
例えば、ばねの圧縮後高さが混合物のサイズ以上確保されていれば充填が不充分な部分は生じなかった。また圧縮後高さが混合物のサイズ以下のものではベース材の欠損部分が観測されるほど未充填部分を生じた。また、インサート体と各型との距離が混合物のサイズ以上確保されている場合も充填が不十分な部分は生じなかった。
【００４６】
次に、本発明を適用した樹脂成形体の製造方法について説明をする。
【００４７】
図５は、樹脂成形体の製造方法を示すフローである。先ずステップＳ１１において、上下に対向する上型体５１と下型体５２の間に上述したインサート体１１を配置する。なお、この上型体５１と下型体５２の間には、ガスケット３３が両側に介装されており、後段において注入する樹脂の漏洩を防止している。ガスケット３３の代替として、何れかの材質からなるシール材を用いるようにしてもよい。この上型体５１と下型体５２には、ヒータ３５、３６がそれぞれ実装されており、これらを加熱可能としている。
【００４８】
このステップＳ１１においてインサート体１１の配置は、最終的にカウンター２の表面２１ａに形成される模様に影響を及ぼすことになることから、所望の模様となるようにこれを載置していくことになる。
【００４９】
インサート体１１と基材１２とにより下型体５２の上面５２ａに相当するパネル表面に描かれる模様が互いに異なるようにしたい場合には、そのようにインサート体１１を載置することになる。このステップＳ１１においては下型体５２に対して上型体５１がある程度押し上げられた状態にあり、広い内部空間が形成された状態にある。このためインサート体１１を配置する上での作業性をより向上させることが可能となる。具体的には、インサート体１１を下型体５２の上面５２ａに載置していくことになるが、この載置に関しては最終的に得られるカウンター２の表面２１ａの模様に応じたものとされる。
【００５０】
また、このステップＳ１１では、インサート体１１上に押さえ部材１４を当接させることにより、これを配置する。この押さえ部材１４の配置は、上述したようにインサート体１１に対して、例えばコイルバネで構成される押さえ部材１４を接合するようにしてもよい。また、このステップＳ１１以前において、予め押さえ部材１４が接合された状態のインサート材１１を準備し、これをステップＳ１１において下型体５２の上面５２ａに載置するようにしてもよい。
【００５１】
上述したようにインサート体１１上に押さえ部材１４を設置した後、上型体５１と下型体５２をそれぞれ加熱する。このとき、上型体５１並びに下型体５２の加熱は、それぞれに実装されているヒータ３５、３６を介して行う。このときの加熱温度は、上型体５１と下型体５２ともに冷却固化しない温度とし、かかる温度で１０分程度保持する。この工程により、インサート体１１と基材１２の加熱圧縮開始時の温度差がなくなり、間隙の発生などを防止し、確実な成形をすることに寄与する。なお、このステップＳ１１における加熱工程は、必要に応じて省略してもよく、ステップＳ１５以降において加熱を開始させてもよい。
【００５２】
次にステップＳ１２へ移行し、上型体５１を下方へ押し下げていく。その結果、上型体５１の下面５１ａが、押さえ部材１４に接触することになる。このとき上型体５１は、押さえ部材１４に対して少なくとも接触しており、その結果、押さえ部材１４とインサート体１１とが互いに密着して、ずれないように固定することが可能となる。このステップＳ１２では、上型体５１の下方への押圧により、押さえ部材１４が上下に亘り弾性変形する程度に押圧する。このステップＳ１２においても上述した加熱温度を保持することになる。なお、このステップＳ１２では、下型体５２に対向する上型体５１を互いに近接させることにより押さえ部材１４を介してインサート体１１を押圧できればよいのであって、必ずしも上型体５１を下方へ押し下げていく場合に限定されるものではなく、逆に下型体５２を上方へ押し上げるようにしてもよい。
【００５３】
次に、ステップＳ１３へ移行し、アクリル系樹脂、ポリエステル系樹脂やエポキシ樹脂等の熱硬化性樹脂からなるとともに上述いた混合物８を含有する基材１２を下型体５２と上型体５１の間隙へ注入する。なお、これらの樹脂は注入によって型内へ導入してもよいし、バルクやシート状の樹脂をチャージしてもよく、樹脂の導入の仕方に限定されるものではない。この場合、押圧の際に、上型体５１が、まず押さえ部材１４に到達し、次に下型体５２にチャージした樹脂に到達するようにそれぞれを配置すればよい。このように、樹脂のチャージ高さ位置を押さえ部材の高さ位置よりも低くすることで、インサート体１１を下型体５２へ押し付けることができ、樹脂の製品面への回り込みやインサート体１１のズレを防止することができる。
【００５４】
ちなみに、このステップＳ１３においても上述した加熱温度を保持するため、基材１２を硬化させることなく液状化させた状態で、下型体５２と上型体５１の間隙の隅々まで行き渡らせることが可能となる。このステップＳ１３においても、下型体５２と上型体５１を互いに近接させることによる押さえ部材１４を介したインサート体１１の押圧を継続させて行う。これにより、熱硬化性樹脂からなる基材１２の注入時において、インサート体１１が押さえ部材１４を介して支持されているため、基材１２における流動による影響を受けることなく、インサート体１１が指定位置から移動してしまうのを防止することが可能となる。
【００５５】
ちなみに、この上型体５１を押し下げた際におけるインサート体１１と上型体５１との隙間は混合物のサイズ以上開いていることが望ましい。より具体的には、中央基体９３と上型体５１との隙間は混合物のサイズ以上開いていることが望ましい。
【００５６】
その理由として、インサート体１１と上型体５１との隙間が混合物のサイズ未満では、当該隙間に基材１２を構成するベース樹脂の充填が困難になるためである。特にこの基材１２には、混合物８が含有されていることから、かかる混合物８が隙間に引っ掛かることなく充填を実現するためには、当該隙間が少なくとも混合物のサイズ以上であることが望ましい。
【００５７】
また、得られた樹脂成形体で考えた場合に、中央基体９３と上面又は下面との隙間は混合物のサイズ以上開いていることが望ましい。
【００５８】
特に本発明では、型体の近接時において、インサート体１１における上型体５１側から下型体５２側へ、注入した基材１２を流し込むための流れ込み案内として、切欠９５を利用することが可能となる。図６の矢印は、基材１２を構成する熱硬化性樹脂を流入経路を示すものであるが、切欠９５を通じて基材１２を構成する熱硬化性樹脂を流入させることが可能となる。
【００５９】
特にこの切欠９５は、上述したように中央基体９３側に向けて深く切り込まれていることから、切欠９５自体の断面積をより広く構成することが可能となる。その結果、注入すべき基材１２の流入速度を向上させることができ、特にこのインサート体１１が複雑な形状を有している場合においても隅々まで基材１２を充填することが可能となる。その結果、インサート体１１内において基材１２の未充填部が残存するのを防止することが可能となる。
【００６０】
次に、ステップＳ１４へ移行し、下型体５２を上方に押し上げることにより、熱硬化に適した圧力までこれを押圧する。このとき、下型体５２を上方に押し上げる場合に限定されるものではなく、下型体５２及び／又は上型体５１により押圧すればよい。ちなみに、このステップＳ１４において、基材１２を熱硬化するのに適した温度に加熱する。なお、このステップＳ１４における押圧変形量は、押さえ部材１４の弾性率や断面積、断面形状、設置密度により異なるが、例えばステップＳ１３において上型体５１と下型体５２との間隔が９ｍｍ程度である場合に、このステップＳ１４では、さらにその間隔を１ｍｍ程度狭める程度を想定している。これによりインサート体１１と基材１２は一体化することとなる。
【００６１】
次にステップＳ１５へ移行し、上述した加熱温度に保持していた上型体５１及び下型体５２を室温付近まで自然冷却する。次に上型体５１及び下型体５２を互いに離間させ、この基材１２とインサート体１１を互いに一体化させた模様付パネル体１を取り出すことになる。
【００６２】
以上、ステップＳ１１〜ステップＳ１５に至るまでの工程を経て、模様付パネル体１の製造が完了することになる。
【００６３】
このような本発明に係る樹脂成形体の製造方法では、上述したステップＳ１３に示すように、熱硬化性樹脂からなる基材１２を注入した後、ステップＳ１４に示すように、更に基材１２を上型体５１及び下型体５２により加圧している。特に、このステップＳ１４では、単に押さえ部材１４を介してインサート体１１を支持することにより、基材１２を注入時における流動の影響を受けるのを防止することとなる。
【００６４】
また本発明では、上述したように押さえ部材１４を弾性変形させるところまで加圧することにより、インサート体１１が下型体５２の上面５２ａにおいて適度に押圧させ、このインサート体１１と下型体５２の上面５２ａとの間をより密着させて基材１２が浸入してしまうのを防止することが可能となる。その結果、成形の終了時にかかるインサート体１１の表面が部分的に基材１２に覆われてしまうのを防止することが可能となる。
【００６５】
また本発明では、上述したように押さえ部材１４を弾性変形させるところまで加圧することにより、インサート体１１が下型体５２の上面５２ａにおいて適度に押圧させ、その結果、インサート体１１と下型体５２の上面５２ａとの間をより密着させて、基材１２とインサート体１１とがそれぞれ露出する上面１１ａと基材の面２１aを、よりフラットに仕上ることができ、平滑度を向上させることが可能となる。
【００６６】
特に本発明では、花びらのような細かい模様をカウンター２の表面２１ａに形成させたり、例えば０．５ｍｍ〜２０ｍｍ程度のサイズからなる微細な模様をカウンター２の表面２１ａに形成させる場合においても、この切欠９５は、上述したように中央基体９３側に向けて深く切り込まれていることから、注入すべき基材１２の流入速度を向上させることができ、隅々まで基材１２を充填することが可能となり、ひいては、インサート体１１内において基材１２の未充填部が残存するのを防止することが可能となる。その結果、基材１２を充填した後においてエアーが残り、仕上がり時においてインサート体１１の周囲がへこんでしまうことを防止することが可能となり、更には成形不良を起こしたり、品質低下を引き起こすことを極力防止することが可能となる。
【００６７】
特に本発明では、基材１２内に装飾用の混合物８を含んでいることを前提としているが、上述したように切欠９５自体の断面積をより広く構成することが可能となることから、混合物８が引っ掛かることなく、隅々まで充填を行うことが可能となる。
【００６８】
また、本発明に係る模様付パネル体１の製造方法では、基材１２とインサート体１１について、熱膨張係数がほぼ等しい素材で構成した場合には、ステップＳ１４〜ステップＳ１５において、上述した加熱温度に保持していたインサート体１１及び基材１２を冷却させる際において、インサート体１１及び基材１２は、ほぼ同程度の熱収縮が生じることになる。即ち、ステップＳ１５における冷却過程において、インサート体１１及び基材１２においてほぼ同程度の熱収縮に伴う歪み量が発生することになり、ひいてはインサート体１１及び基材１２間において互いに反りや撓みが生じることも無くなり、インサート体１１及び基材１２間において空隙等が発生することも無くなる。その結果、従来技術において問題となっていた、熱収縮に伴って撓みや空隙等が発生し、これが欠陥源となって成形品の機械的特性を悪化させることを、本発明では防止することが可能となる。
【００６９】
特に本発明によれば、ステップＳ１１においてインサート体１１を上型体５１と下型体５２の間に設置した段階から加熱を開始している。これにより、インサート体１１の温度を事前に上昇させておくことが可能となる。その後ステップＳ１２において注入されてくる基材１２は、既に温められた状態にあることから、事前に温めたインサート体１１との間で温度の差異を無くすことが可能となる。その結果、低温のインサート体１１が高温の基材１２に触れることによる反りの発生を抑えることが可能となる。
【００７０】
また、本発明では、断面形状が円形、楕円形又は角部が面取りされた形状からなる押さえ部材１４をインサート体１１上に配置した場合には、かかる押さえ部材１４を断面角形状で構成されている場合と比較して、押さえ部材１４によって生じた空洞の角部に応力が集中することを防止でき、破壊の欠陥源が生成されるのを防止することができる。このため、この模様付パネル体１をカウンター２に適用する際において、何らかの衝撃力が加わった場合においても、これに十分に耐えることが可能となる。
【００７１】
また、押さえ部材１４としてコイルバネを使用すれば、押圧した当該押さえ部材１４内部にベース樹脂としての基材１２を浸入させることが可能となる。その結果、バネの内側にも基材１２が充填されるので弾性材の存在による空洞の発生、ひいてはインサート体周囲に凹みが発生してしまうのを防ぐことができる。
【００７２】
また、押さえ部材１４としてコイルバネを使用すれば、内部にベース樹脂としての基材１２を浸入させることができるため、当該コイルバネ自体をベース樹脂（基材１２）で覆うことが可能となり、成形後の衝撃性低下を防止することができる。これは、基材１２がコイルバネとしての押さえ部材１４と一体化させることができ、耐衝撃性についても、殆ど基材１２の材質がその支配的因子になる程度まで押さえ部材１４内に基材１２を入り込ませることを意味している。
【００７３】
特に本発明では、型体の近接時において、押圧した押さえ部材１４の空隙を通じて混合物８が内部へ浸入するように各種調整が行われている。このため、基材１２に混合物８が含有されている場合であっても、かかる混合物８が隙間に引っ掛かることなく充填を実現することが可能となる。
【００７４】
また、押さえ部材１４としてコイルバネを用いることにより、空隙を通じて内部に基材１２を入りこませることが可能となり、これにより押さえ材１４の内部と外部が空隙を通じてベース樹脂で連結されるために、当該ベース樹脂が分断されず硬化後の耐衝撃性が向上する。また、本発明によれば、樹脂流動中、前記空隙に樹脂が入り込み押さえ部材外部へ流れ出るため、樹脂の流れを阻害せず、樹脂未充填が発生しない。押さえ部材１４としてバネを用いる場合は、円錐型のコイルバネ（円錐コイルバネ）が望ましい。
【００７５】
円錐形の裾側を意匠板の方に置けば、加熱圧縮加工時に倒れてしまう可能性が円柱型のバネより低く確実な成形が可能だからである。また、バネの弾性変形とその後の押圧力の開放のプロセスにおいて基材１２との間で空隙が形成されるのを防止することができ、模様付パネル体１における耐衝撃性能や機械強度が空隙により低下してしまうのを防止することが可能となる。更に押さえ部材１４としてブロック状の弾性のある合成樹脂材等で構成した場合には、成形後において押さえ材が抜け落ちてしまい、その結果、インサート体１１の一部が基材１２により覆われず、耐衝撃性が低下してしまうが、押さえ部材１４としてバネを用いることにより、このような問題点を解消することが可能となる。
【００７６】
また、押さえ部材１４として有機材料を使用する場合には、例えばポリカーボネート（ＰＣ）、ポリオキシメチレン（ＰＯＭ）、ポリメタクリル酸メチル（ＰＭＭＡ）、アクリロニトリル−ブタジエン−スチレン（ＡＢＳ）等のように耐熱安全温度が７０℃以上、望ましくは１１０℃以上のものを使用する。ここでいう耐熱安全温度が７０℃とは、１．８ＭＰａにより測定した荷重たわみ温度が７０℃を超えることを意味するものである。即ち、この耐熱安全温度は、加熱時に規定の反発力（押圧力）を保持していることが前提となる。
【００７７】
また、樹脂成形中の型温度もしくは樹脂の硬化発熱温度と比較して押さえ部材の耐熱性を高めることで、成形中の押さえ部材１４の軟化を抑制できるために、反発力が低下せず、インサート体と型接触面への樹脂の入り込みと、樹脂流動圧によるインサート体の位置ずれが防止できる。
【００７８】
ステップＳ１３〜１４のプロセスの下で１１０℃程度の温度になる場合においても、当該温度まで耐熱性を発揮する押さえ部材１４を用いることにより、当該押さえ部材１４が熱変形するのを防止することが可能となるためである。その結果、インサート体１１に対する押さえ部材１４による押圧機能を維持させることが可能となり、樹脂がインサート体１１の表面に回りこむのを抑えることができる。また、１１０℃程度の温度下においても、押さえ部材１４が熱変形するのを防止することが可能となるため、インサート体１１に対する押さえ部材１４による押圧機能を維持させることが可能となり、インサート体１１の位置ずれを防止することが可能となる。
【００７９】
また、押さえ部材１４として樹脂を利用することにより、押さえ部材１４自体の表面硬度を柔らかく構成することが可能となり、金型としての上型体５１への疵を防止することが可能となる。
【００８０】
また、押さえ部材１４として、ポリカーボネート（ＰＣ）、ポリオキシメチレン（ＰＯＭ）、ポリメタクリル酸メチル（ＰＭＭＡ）、アクリロニトリル−ブタジエン−スチレン（ＡＢＳ）の何れかにより被覆された金属製のバネで構成してもよい。これによっても通常の金属製のバネとしての機能を発揮させることが可能となると共に、これらの樹脂で被覆されていることにより、金型としての上型体５１への疵を防止することが可能となる。
【００８１】
ちなみに、この押さえ部材１４をインサート体１１に対して単に当接させるだけでなく、例えば接着剤等を介して着脱不能に接合しておくことにより、上型体５１と下型体５２とを近接させて押圧した場合においても、インサート体１１から押さえ部材が外れてしまうのを防止することが可能となる。
【００８２】
また、従来の切削、接着工法の場合においては基材に設けた雌部と意匠板の寸法が間隙を開けさせないためには同一であることが求められる一方、嵌合を行うためには逃げ寸法が必要であり同一にすることができないといった問題や、そのような寸法を出そうとしても樹脂の成形時の温度変化や圧縮により多少の誤差は生じてしまい間隙のない成形品を求めることが困難であったが、本発明においては、そのような問題を生じないことから、インサート体１１により構成される模様の複雑化も実現可能となり、また任意の大きさからなるインサート体１１を配置することによる模様の大きさの自由度も確保することが可能となる。
【００８３】
更に、この基材１２、インサート体１１における材料の選択を通じて、耐熱性、耐摩耗性、耐汚染性等の機能を付与することが可能となる。
【００８４】
ところで、上述したブロック状の弾性のある合成樹脂からなる押さえ部材１４を適用した場合に、ステップＳ１４において上下に押圧された場合に、押さえ部材１４が水平方向外側に弾性変形し、その状態で基材１２が硬化する。しかしながら、押さえ部材１４は、上下の押圧から開放された場合に、水平方向外側に弾性変形されていたものが収縮し、基材１２と押さえ部材１４との間に空隙が形成される。この空隙は、局部的に板厚が薄くなるのと同等となり、模様付パネル体１における耐衝撃性能や機械強度を低下させる、一つの阻害要因として作用する可能性がある。
【００８５】
このため、本発明では、ブロック状の弾性のある合成樹脂からなる押さえ部材１４の代替として、上述した円錐状のバネや、金属製の巻きバネからなる押さえ部材１４をインサート体１１上に配置するようにしてもよい。これによっても同様にバネの弾性変形とその後の押圧力の開放のプロセスにおいて基材１２との間で空隙が形成されるのを防止することができ、得られるカウンター２における耐衝撃性能や機械強度が空隙により低下してしまうのを防止することが可能となる。
【００８６】
また、図６に示すように、押さえ部材１４に対して更に裏打ち材１２１を設けるようにしてもよい。その結果、上型体５１が押し下げられてきたときに、この押さえ部材１４に取り付けられた裏打ち材１２１を介して接触することになり、得られるカウンター２における裏面２１ｂの平滑性を向上させることが可能となる。仮に、裏打ち材１２１がない場合であって、しかも押さえ部材１４としてバネ等を使用する際には、裏面２１ｂからバネが飛び出したりしてしまう場合があり、結果として裏面２１ｂに凹凸が形成されて平滑度が低下してしまう。その結果、裏面２１ｂにおける他の部材との密着性が低下してしまい、施工性に支障をきたす。このため、裏面２１ｂの平滑性を確保するために研磨等の処理工程を加えなければならず、作業効率が悪化してしまう場合があった。これに対して、裏打ち材１２１を設けることによる裏面２１ｂの平滑性を向上させることができれば、このような研磨等の作業を省略することが可能となり、作業効率を向上させることが可能となる。ちなみに、この裏打ち材１２１の材料としては、金属製、木製、樹脂製、繊維製などで構成されていればよい。
【００８７】
また図７は、インサート体１１を表面、裏面の双方に設けることにより、模様付パネル体１の表裏に模様を形成させる場合におけるステップＳ１４の工程を示している。押さえ部材１４の上部に更に押さえ部材１４を載置し、下型体５２に対向する上型体５１を押さえ部材１４の上部に載置されたインサート体１１に接触するまで押し下げることにより作製することが可能となる。
【００８８】
なお、本発明は上述した実施の形態に限定されるものではなく、複数のインサート体１１を亘り互いに一体化させて構成するようにしてもよい。
【符号の説明】
【００８９】
１  模様付パネル体
２  カウンター
８  混合物
１１  インサート体
１２  基材
１４  押さえ部材
２１  ワークトップ
２６ａ  水返し
２６  前垂れ
２７  バックガード
３１  上型体
３２  下型体
３３  ガスケット
３５、３６  ヒータ
４１  樹脂
５１  上型体
５２  下型体
９２  模様体
９３  中央基体
【図１】
0005384276.tif 000002
【図２】
0005384276.tif 000003
【図３】
0005384276.tif 000004
【図４】
0005384276.tif 000005
【図５】
0005384276.tif 000006
【図６】
0005384276.tif 000007
【図７】
0005384276.tif 000008